【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
画像データに従って記録シートに画像を印刷する印刷手段と、
前記印刷手段により前記画像が印刷された記録シートを製本する製本手段と、
前記印刷手段を制御して前記記録シートに前記画像を印刷し、前記製本手段を制御して前記画像が印刷された記録シートを製本する第１の印刷処理、又は前記印刷手段を制御して前記記録シートに前記画像及び前記画像が印刷された記録シートを製本する際に用いられる識別情報を印刷する第２の印刷処理のいずれかを実行するよう制御する印刷制御手段と、
前記第２の印刷処理により画像が印刷された前記記録シートを載置するための載置手段と、
前記載置手段に載置された前記記録シートから前記識別情報を読み取る読取手段と、
前記載置手段に前記記録シートが載置され前記読取手段により前記記録シートから前記識別情報が読み取られた場合に、前記読取手段により読み取られた前記識別情報に基づいて前記第２の印刷処理により画像が印刷された記録シートを製本するよう前記製本手段を制御する製本制御手段と、
を有することを特徴とする印刷装置。
【請求項２】
前記第２の印刷処理において、前記識別情報は前記記録シートの余白に印刷されることを特徴とする請求項１に記載の印刷装置。
【請求項３】
前記第２の印刷処理により画像が印刷された前記記録シートの製本を認証するための認証情報を入力する入力手段を更に有し、
前記製本制御手段は、前記読取手段により読み取られた前記識別情報と前記入力手段により入力された前記認証情報を照合して、前記製本の認証に成功した場合に、前記第２の印刷処理により画像が印刷された記録シートを製本するよう前記製本手段を制御することを特徴とする請求項１又は２に記載の印刷装置。
【請求項４】
前記印刷制御手段は、前記第２の印刷処理により画像が印刷された記録シートを前記製本手段が製本する際に異常が発生した場合に、新たな記録シートに前記画像を再印刷するよう前記印刷手段を制御することを特徴とする請求項１乃至３のいずれか１項に記載の印刷装置。
【請求項５】
画像データに従って記録シートに画像を印刷する印刷手段と、前記印刷手段により前記画像が印刷された記録シートを製本する製本手段とを有する印刷装置の制御方法であって、
前記印刷手段を制御して前記記録シートに前記画像を印刷し、前記製本手段を制御して前記画像が印刷された記録シートを製本する第１の印刷処理、又は前記印刷手段を制御して前記記録シートに前記画像及び前記画像が印刷された記録シートを製本する際に用いられる識別情報を印刷する第２の印刷処理のいずれかを実行するよう制御する印刷制御工程と、
前記第２の印刷処理により画像が印刷された前記記録シートから前記識別情報を読み取る読取工程と、
載置手段に前記記録シートが載置され前記読取工程により前記記録シートから前記識別情報が読み取られた場合に、前記読取工程により読み取られた前記識別情報に基づいて前記第２の印刷処理により画像が印刷された記録シートを製本するよう前記製本手段を制御する製本制御工程と、
を有することを特徴とする印刷装置の制御方法。
【請求項６】
前記第２の印刷処理において、前記識別情報は前記記録シートの余白に印刷されることを特徴とする請求項５に記載の印刷装置の制御方法。
【請求項７】
前記第２の印刷処理により画像が印刷された前記記録シートの製本を認証するための認証情報を入力する入力工程を更に有し、
前記製本制御工程は、前記読取工程により読み取られた前記識別情報と前記入力工程により入力された前記認証情報を照合して、前記製本の認証に成功した場合に、前記第２の印刷処理により画像が印刷された記録シートを製本するよう前記製本手段を制御することを特徴とする請求項５又は６に記載の印刷装置の制御方法。
【請求項８】
前記印刷制御工程は、前記第２の印刷処理により画像が印刷された記録シートを前記製本手段が製本する際に異常が発生した場合に、新たな記録シートに前記画像を再印刷するよう前記印刷手段を制御することを特徴とする請求項５乃至７のいずれか１項に記載の印刷装置の制御方法。
【手続補正２】
【補正対象書類名】明細書
【補正対象項目名】発明の名称
【補正方法】変更
【補正の内容】
【発明の名称】印刷装置及びその制御方法
【手続補正３】
【補正対象書類名】明細書
【補正対象項目名】０００１
【補正方法】変更
【補正の内容】
【０００１】
本発明は、記録シートに画像を印刷し、それら記録シートの製本を制御する印刷装置及びその制御方法に関するものである。
【手続補正４】
【補正対象書類名】明細書
【補正対象項目名】０００８
【補正方法】変更
【補正の内容】
【０００８】
本願発明の特徴は、印刷処理で印刷した記録シートを製本する際、その製本処理で使用される記録シートを認証して製本できる印刷装置及びその制御方法を提供することにある。
【手続補正５】
【補正対象書類名】明細書
【補正対象項目名】０００９
【補正方法】変更
【補正の内容】
【０００９】
上記目的を達成するために本発明の一態様に係る印刷装置は以下のような構成を備える。即ち、
画像データに従って記録シートに画像を印刷する印刷手段と、
前記印刷手段により前記画像が印刷された記録シートを製本する製本手段と、
前記印刷手段を制御して前記記録シートに前記画像を印刷し、前記製本手段を制御して前記画像が印刷された記録シートを製本する第１の印刷処理、又は前記印刷手段を制御して前記記録シートに前記画像及び前記画像が印刷された記録シートを製本する際に用いられる識別情報を印刷する第２の印刷処理のいずれかを実行するよう制御する印刷制御手段と、
前記第２の印刷処理により画像が印刷された前記記録シートを載置するための載置手段と、
前記載置手段に載置された前記記録シートから前記識別情報を読み取る読取手段と、
前記載置手段に前記記録シートが載置され前記読取手段により前記記録シートから前記識別情報が読み取られた場合に、前記読取手段により読み取られた前記識別情報に基づいて前記第２の印刷処理により画像が印刷された記録シートを製本するよう前記製本手段を制御する製本制御手段と、を有することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
上記目的を達成するために本発明の一態様に係る印刷装置の制御方法は以下のような工程を備える。即ち、
画像データに従って記録シートに画像を印刷する印刷手段と、前記印刷手段により前記画像が印刷された記録シートを製本する製本手段とを有する印刷装置の制御方法であって、
前記印刷手段を制御して前記記録シートに前記画像を印刷し、前記製本手段を制御して前記画像が印刷された記録シートを製本する第１の印刷処理、又は前記印刷手段を制御して前記記録シートに前記画像及び前記画像が印刷された記録シートを製本する際に用いられる識別情報を印刷する第２の印刷処理のいずれかを実行するよう制御する印刷制御工程と、
前記第２の印刷処理により画像が印刷された前記記録シートから前記識別情報を読み取る読取工程と、
載置手段に前記記録シートが載置され前記読取工程により前記記録シートから前記識別情報が読み取られた場合に、前記読取工程により読み取られた前記識別情報に基づいて前記第２の印刷処理により画像が印刷された記録シートを製本するよう前記製本手段を制御する製本制御工程と、を有することを特徴とする。